(57)【要約】【課題】リアホルダを治具を用いて本係合状態のハウジング本体から仮係合状態に容易に移行する。【解決手段】リアホルダ２をハウジング本体１に対する本係合状態から外す場合に、抜き治具Ｔをハウジング本体１の治具挿入孔から下方に向けて挿し込んで操作部２６に突き当て、リアホルダ２の可撓部２５を内側に押し込むと、可撓部２５に設けた係止突起は戸袋部に設けた窓部から外れる。つまり、（ａ）のように、治具Ｔの先端と操作部２６に当接してから更に押し込むと、（ｂ）のように治具Ｔは操作部２６を動かし戸袋部１１と可撓部２５の間に案内される。更に治具Ｔを（ｃ）のように押し込み、（ｄ）のように治具挿入孔の縁部を支点として治具Ｔを傾けると、可撓部２５は内側に押し込まれ、窓部から係止突起が外れる。リアホルダ２の反対側の係止突起についても同様に窓部から外し、リアホルダ２を引き抜くと仮係合状態とすることができる。【選択図】　　　　図１０
2004039537.tif 000002
【特許請求の範囲】
【請求項１】
電線を接続した接続端子を後部から収容する合成樹脂製のハウジング本体と、該ハウジング本体の後部に係合して前記接続端子の前記ハウジング本体からの抜け出しを防止する合成樹脂製のリアホルダとから成り、前記ハウジング本体と前記リアホルダとは、前記リアホルダを前記ハウジング本体に対してその軸線方向に略中間まで挿入した位置にあって前記接続端子の前記ハウジング本体への挿入を許容する仮係合位置と、前記リアホルダを十分に押し込んだ位置であって前記接続端子の前記ハウジング本体からの抜け出しを防止する本係合位置とにおいて係合する電気コネクタハウジングにおいて、前記ハウジング本体には前記リアホルダの両側に設けた側壁部を受け入れる戸袋部を有し、前記側壁部に可撓部を形成し、該可撓部の外側に係止突起を設け、前記戸袋部に前記本係合位置において前記係止突起を係止する係止受部を設け、前記戸袋部の一部に治具挿入孔を設け、該治具挿入孔の縁部を支点として治具により前記可撓部を偏位させ得るようにしたことを特徴とする電気コネクタハウジング。
【請求項２】
前記治具により前記可撓部を内側に偏位させて前記係止突起の前記係止受部に対する係止を解除するようにした請求項１に記載の電気コネクタハウジング。
【請求項３】
前記係止受部は前記戸袋部に設けた窓部とした請求項１に記載の電気コネクタハウジング。
【請求項４】
前記治具挿入孔は前記戸袋部の上部に設けた請求項１に記載の電気コネクタハウジング。
【発明の詳細な説明】
【０００１】
【発明の属する技術分野】
本発明は、例えば自動車のワイヤハーネス等に使用可能な電気コネクタハウジングに関するものである。
【０００２】
【従来の技術】
従来のこの種の電気コネクタハウジングでは、電線を接続した複数の接続端子をハウジング本体に後部から挿入し、ハウジング本体内に設けた係止アームにより接続端子を係止し、ハウジング本体の後部に係合したリアホルダにより接続端子を係止する場合が多い。
【０００３】
一方、ハウジング本体とリアホルダとを、リアホルダをハウジング本体に略中間まで挿入した仮係合位置と、リアホルダをハウジング本体に対して十分に押し込んだ本係合位置とにおいて係合し、仮係合位置において接続端子をハウジング本体に挿入し、本係合位置においてリアホルダにより接続端子を係止する場合もある。
【０００４】
【発明が解決しようとする課題】
しかしながら、リアホルダをハウジング本体に対し本係止状態から仮係止状態に戻すことを必要とする場合に、リアホルダを本係合状態から解除することは極めて厄介である。
【０００５】
本発明の目的は、上述の問題点を解消し、リアホルダを本係合状態から仮係合位置に容易に偏位し得る電気コネクタハウジングを提供することにある。
【０００６】
【課題を解決するための手段】
上記目的を達成するための本発明に係る電気コネクタハウジングは、電線を接続した接続端子を後部から収容する合成樹脂製のハウジング本体と、該ハウジング本体の後部に係合して前記接続端子の前記ハウジング本体からの抜け出しを防止する合成樹脂製のリアホルダとから成り、前記ハウジング本体と前記リアホルダとは、前記リアホルダを前記ハウジング本体に対してその軸線方向に略中間まで挿入した位置にあって前記接続端子の前記ハウジング本体への挿入を許容する仮係合位置と、前記リアホルダを十分に押し込んだ位置であって前記接続端子の前記ハウジング本体からの抜け出しを防止する本係合位置とにおいて係合する電気コネクタハウジングにおいて、前記ハウジング本体には前記リアホルダの両側に設けた側壁部を受け入れる戸袋部を有し、前記側壁部に可撓部を形成し、該可撓部の外側に係止突起を設け、前記戸袋部に前記本係合位置において前記係止突起を係止する係止受部を設け、前記戸袋部の一部に治具挿入孔を設け、該治具挿入孔の縁部を支点として治具により前記可撓部を偏位させ得るようにしたことを特徴とする。
【０００７】
【発明の実施の形態】
本発明を図示の実施の形態に基づいて詳細に説明する。
図１、図２はそれぞれ実施の形態におけるハウジング本体１、リアホルダ２の側面図である。ハウジング本体１内には電線を接続した複数の接続端子を収容する隔壁により仕切られた図示しない複数の端子収容室が形成されている。リアホルダ２はこのハウジング本体１の後部に係合して、その基部によってハウジング本体１に収容した接続端子を抜け止めするようになっている。そして、これらのハウジング本体１とリアホルダ２は、合成樹脂材からそれぞれ形成されている。
【０００８】
リアホルダ２のホルダ本体２１には、図示しない接続端子の挿通孔を有すると共に、ハウジング本体１の端子収容室に進入して接続端子を個々に係止する可撓性を有する係止アーム２２が、図３に示すように前方に向けて設けられている。また、ホルダ本体２１の後縁の上下部には、ハウジング本体１の上下外壁に当接するフランジ２３が形成され、ホルダ本体２１の側面には、側壁部２４がハウジング本体１の両側部に設けられた戸袋部１１に嵌入し得るように形成されている。
【０００９】
両側の側壁部２４の中央部稍々下方には、後方に自由端を有するコ字状の可撓部２５が形成され、可撓部２５の上部に外テーパ面から成る操作部２６が形成され、可撓部２５の上方の側壁部２４ａの肉厚は後述する治具を挿入するために薄くされている。可撓部２５の裏側の自由端側は、図４に示すように斜めに切削され先端に進むにつれ薄くされており、可撓部２５の外側に係止突起２７が設けられている。
【００１０】
係止突起２７は略台形状とされ、ハウジング本体１側に向く面は円弧面２７ａとされ、ハウジング本体１との反対側の面は垂直面２７ｂとされている。なお、この垂直面２７ｂは垂直よりもオーバハング状に傾斜した逆傾斜面としたほうが、後述する窓部に対する係止がより確実となる。
【００１１】
また、ハウジング本体１の戸袋部１１の外側には係止受部として窓部１２が形成され、この窓部１２の後縁１２ａに係止突起２７の垂直面２７ｂが係止するようにされている。そして、窓部１２の上方には治具挿入孔１３が形成されている。この治具挿入孔１３はドライバ状の治具を挿入した場合に、その先端部が下方の可撓部２５の操作部２６を作動できるように設けられている。
【００１２】
接続端子をハウジング本体１に挿入する際には、図４に示すようにリアホルダ２の係止アーム２２をハウジング本体１の軸線方向に沿って端子収容室に挿入する。これにより、図５に示すようにリアホルダ２の左右の側壁部２４の先端がハウジング本体１の戸袋部１１に嵌入すると共に、係止アーム２２は各端子収容室に若干挿入される。しかし、リアホルダ２の係止突起２７が戸袋部１１の後壁に当接し、リアホルダ２はハウジング本体１に対する仮係合位置に係合する。
【００１３】
この状態で、電線付きの接続端子をリアホルダ２の端子挿通孔を介してハウジング本体１の端子収容室に挿入すると、各接続端子はリアホルダ２の係止アーム２２を撓ませながら前進し、端子収容室の所定位置に収まる。
【００１４】
全ての接続端子をハウジング本体１に挿入した後に、リアホルダ２を手指により押圧しながら前方に押し込む。これにより、リアホルダ２の係止突起２７はその前方の円弧面２７ａによって図６に示すように内側に押されて、ハウジング本体１の戸袋部１１内に入り込み、窓部１２に到達し復元し、垂直面２７ｂが窓部１２の後縁１２ａに係止し、図７、図８に示すように本係合状態となる。この状態で、接続端子はリアホルダ２の係止アーム２２及びホルダ本体２１の基部により正規の位置まで押し込まれると共に、各接続端子は係止アーム２２、ホルダ本体２１により固定され、後方への抜け止めが防止される。
【００１５】
この状態において、リアホルダ２は本係合位置に確実に保持されており、この本係合状態は図７に示すように窓部１２から係止突起２７を視認することにより確認することができる。特に、ハウジング本体１とリアホルダ２が異色の材料により造られていると、その確認は更に容易である。
【００１６】
リアホルダ２をハウジング本体１から外す場合には、図９に示すように抜き治具Ｔをハウジング本体１の治具挿入孔１３から下方に向けて挿し込んで、操作部２６に突き当て、リアホルダ２の可撓部２５を内側に押し込むと、係止突起２７は窓部１２から外れる。
【００１７】
つまり、図１０（ａ）に示すように、治具Ｔの先端を操作部２６に当接してから更に押し込むと、（ｂ）に示すように治具Ｔは操作部２６を動かして戸袋部１１と可撓部２５の間に案内される。更に、治具Ｔを（ｃ）に示すように押し込み、（ｄ）に示すように図示しない治具挿入孔１３の縁部を支点として治具Ｔを傾けると、可撓部２５は内側に押し込まれ、窓部１２から係止突起２７が外れることになる。
【００１８】
リアホルダ２の反対側の係止突起２７についても同様に窓部１２から外し、リアホルダ２を引き抜くと、図６の状態を経て図４、図５に示すように仮係合状態とすることができる。
【００１９】
なお、窓部１２は必要不可欠なものではなく、係止突起２７を係止する凹部を係止受部として戸袋１９の内側に設けてもよい。
【００２０】
【発明の効果】
以上説明したように本発明に係る電気コネクタハウジングでは、本係合位置においてリアホルダの係止突起をハウジング本体の係止部に係止し、リアホルダを外す際には治具挿入孔を介して治具により係止突起を押し込んで本係合状態を解除することができる。
【図面の簡単な説明】
【図１】ハウジング本体の側面図である。
【図２】リアホルダの側面図である。
【図３】リアホルダの斜視図である。
【図４】仮係合状態のハウジング本体とリアホルダの一部断面図である。
【図５】仮係合状態のハウジング本体とリアホルダの側面図である。
【図６】作用説明図である。
【図７】本係合状態のハウジング本体とリアホルダの側面図である。
【図８】作用説明図である。
【図９】作用説明図である。
【図１０】作用説明図である。
【符号の説明】
１　ハウジング本体
２　リアホルダ
１１　戸袋部
１２　窓部
１３　治具挿入孔
２１　ホルダ本体
２２　係止アーム
２４　側壁部
２５　可撓部
２６　操作部
２７　係止突起
【図１】
2004039537.tif 000003
【図２】
2004039537.tif 000004
【図３】
2004039537.tif 000005
【図４】
2004039537.tif 000006
【図５】
2004039537.tif 000007
【図６】
2004039537.tif 000008
【図７】
2004039537.tif 000009
【図８】
2004039537.tif 000010
【図９】
2004039537.tif 000011
【図１０】
2004039537.tif 000012